(57)【要約】【課題】耐火性に優れ、出隅に取り付けた際に破損の恐れのないコーナーパネルを提供する。【解決手段】屋内の出隅躯体２００とともに出隅３００を形成するコーナーパネル１００であって、出隅躯体２００に対向する内面１１と、内面１１と反対側にある外面１２と、内面１１及び外面１２を繋ぐ第一端部１３の第一端面１３ａ及び第二端部１４の第二端面１４ａと、を備えるコーナー基材１０と、第一端面１３に接続される第三端面２１を備える第一面材２０と、第二端面１４に接続される第四端面３１を備える第二面材３０とを有し、内面１１において、第一端部１３の境界１５１及び第二端部１４の境界１５２からコーナー基材１０の内部に向かって窪んだ凹条１６を備えている。【選択図】図２
2020196993.tif 000002
【特許請求の範囲】
【請求項１】
屋内の出隅躯体とともに出隅を形成するコーナーパネルであって、
前記出隅躯体に対向する内面と、該内面と反対側にある外面と、該内面及び該外面を繋ぐ第一端部の第一端面及び第二端部の第二端面と、を備えるコーナー基材と、
前記第一端面に接続される第三端面を備える第一面材と、
前記第二端面に接続される第四端面を備える第二面材と、を有し、
前記内面において、前記第一端部の境界及び前記第二端部の境界から該コーナー基材の内部に向かって窪んだ凹条を備えている、コーナーパネル。
【請求項２】
前記第一端部の厚みは、前記第一面材の厚みと等しい、もしくは前記第一面材の厚みよりも薄く、
前記第二端部の厚みは、前記第二面材の厚みと等しい、もしくは前記第二面材の厚みよりも薄い、請求項１に記載のコーナーパネル。
【請求項３】
前記第一端部の厚みは、前記第一面材の厚みよりも薄く、
前記第二端部の厚みは、前記第二面材の厚みよりも薄い、請求項２に記載のコーナーパネル。
【請求項４】
前記第一面材の内面を被覆する第一内面側紙部材と、
前記第二面材の内面を被覆する第二内面側紙部材と、をさらに有し、
前記第一端部の厚みは、前記第一面材の厚みと前記第一内面側紙部材の厚みとの和に等しい、もしくは前記第一面材の厚みと前記第一内面側紙部材の厚みとの和よりも薄く、
前記第二端部の厚みは、前記第二面材の厚みと前記第二内面側紙部材の厚みとの和に等しい、もしくは前記第二面材の厚みと前記第二内面側紙部材の厚みとの和よりも薄い、請求項１に記載のコーナーパネル。
【請求項５】
前記第一端部の厚みは、前記第一面材の厚みと前記第一内面側紙部材の厚みとの和よりも薄く、
前記第二端部の厚みは、前記第二面材の厚みと前記第二内面側紙部材の厚みとの和よりも薄い、請求項４に記載のコーナーパネル。
【請求項６】
前記コーナー基材の前記外面と、前記第一面材の有する外面と、前記第二面材の有する外面と、を一体に被覆するように配設されている外面側紙部材をさらに有する、請求項１乃至５のいずれか一項に記載のコーナーパネル。
【請求項７】
前記コーナー基材は、前記第一端面の前記出隅躯体側にある第一隅角部、前記第一端面の前記出隅躯体と反対側にある第二隅角部、前記第二端面の前記出隅躯体側にある第三隅角部、及び、前記第二端面の前記出隅躯体と反対側にある第四隅角部を備え、
前記第一隅角部乃至前記第四隅角部はいずれも、面取り形状を有している、請求項１乃至６のいずれか一項に記載のコーナーパネル。
【請求項８】
前記コーナー基材は、前記外面において、中央の円弧面と、該円弧面と前記第一端面及び前記第二端面との間にある二つの平坦面と、を有している、請求項１乃至７のいずれか一項に記載のコーナーパネル。
【請求項９】
前記第一端面と前記第三端面、及び、前記第二端面と前記第四端面がいずれも、接着剤により接着されている、請求項１乃至８のいずれか一項に記載のコーナーパネル。
【請求項１０】
前記第一面材及び前記第二面材が石膏系面材である、請求項１乃至９のいずれか一項に記載のコーナーパネル。
【請求項１１】
前記第一面材及び前記第二面材が石膏ボードを形成する石膏コアである、請求項１乃至１０のいずれか一項に記載のコーナーパネル。
【発明の詳細な説明】
【技術分野】
【０００１】
本発明は、コーナーパネルに関する。
【背景技術】
【０００２】
建物の屋内における出隅の表面には、樹脂製や金属製のコーナー材が取り付けられることにより、その表面が仕上げられている。樹脂製のコーナー材が適用される場合は、耐火性能に課題がある。一方、金属製のコーナー材が適用される場合は、伝熱性に優れていることから、室内で火災が発生した際に壁の内部に配設されている柱に発火する恐れがあり、その他、結露が生じ易い等の課題がある。
【０００３】
このように樹脂製や金属製のコーナー材の抱える課題を解消するべく、石膏ボードと補強部材を有するコーナーボードが提案されている。より具体的には、裏面で柱の一側面に対向することとなる第一石膏ボード芯材部と、柱の一側面に隣接する他側面に、裏面で対向することとなる第二石膏ボード芯材部と、第一石膏ボード芯材部の表面及び第二石膏ボード芯材部の表面を覆うようにして配置された紙部材と、第一石膏ボード芯材部及び第二石膏ボード芯材部に隣接して配置されるとともに紙部材の裏面に隣接して配置される補強部材とを有するコーナーボードである。そして、このコーナーボードは、柱の一側面及び他側面によって形成される角部を覆うように配設される（例えば、特許文献１参照）。
【先行技術文献】
【特許文献】
【０００４】
【特許文献１】特開２０１５−１５１７４３号公報
【発明の概要】
【発明が解決しようとする課題】
【０００５】
しかしながら、特許文献１に記載のコーナーボードは、補強部材が出隅柱の角部の側面に密接し、面接触して取り付けられることから、仮に出隅柱が精度のよい直角の角部を有していない場合は、第一石膏ボード芯材部と第二石膏ボード芯材部が出隅柱の側面に密接できなくなる。そして、このように石膏ボード芯材部と出隅柱の側面が密接していない状態で、各石膏ボード芯材部を出隅柱の側面にビス等により取り付けると、コーナーボードが補強部材を中心として出隅柱側もしくは出隅柱と反対側に歪んでしまう。このようにコーナーボードが補強部材を中心として歪んだ場合、コーナーボードの中でも強度的弱部である、石膏ボード芯材部と補強部材との接合部が、歪みに起因する応力に抗しきれずに破損する恐れがある。
【０００６】
本発明は上記課題に鑑みてなされたものであり、耐火性に優れ、出隅柱等の屋内の出隅躯体に取り付けた際に破損の恐れのないコーナーパネルを提供することを目的としている。
【課題を解決するための手段】
【０００７】
前記目的を達成すべく、本発明によるコーナーパネルの一態様は、
屋内の出隅躯体とともに出隅を形成するコーナーパネルであって、
前記出隅躯体に対向する内面と、該内面と反対側にある外面と、該内面及び該外面を繋ぐ第一端部の第一端面及び第二端部の第二端面と、を備えるコーナー基材と、
前記第一端面に接続される第三端面を備える第一面材と、
前記第二端面に接続される第四端面を備える第二面材と、を有し、
前記内面において、前記第一端部の境界及び前記第二端部の境界から該コーナー基材の内部に向かって窪んだ凹条を備えている。
【発明の効果】
【０００８】
本発明の一態様によるコーナーパネルによれば、耐火性に優れ、出隅に取り付けた際に破損の恐れのないコーナーパネルを提供することができる。
【図面の簡単な説明】
【０００９】
【図１】実施形態に係るコーナーパネルの一例を示す斜視図である。
【図２】図１のII−II矢視図であって、実施形態に係るコーナーパネルの横断面図である。
【図３】実施形態に係るコーナーパネルが出隅柱に取り付けられることにより形成される、出隅の構造を示す横断面図である。
【図４】従来のコーナーパネルが出隅柱に取り付けられることにより形成される、出隅の構造を示す横断面図である。
【図５】実施形態に係るコーナーパネルの製造方法の一例を示す製造工程図である。
【発明を実施するための形態】
【００１０】
以下、実施形態に係るコーナーパネルについて、添付の図面を参照しながら説明する。尚、本明細書及び図面において、実質的に同一の構成要素については、同一の符号を付することにより重複した説明を省く場合がある。
【００１１】
［実施形態］
＜コーナーパネル＞
はじめに、図１及び図２を参照して、実施形態に係るコーナーパネルの一例について説明する。ここで、図１は、実施形態に係るコーナーパネルの一例を示す斜視図であり、図２は、図１のII−II矢視図であって、実施形態に係るコーナーパネルの横断面図である。
【００１２】
コーナーパネル１００は、コーナー基材１０と、第一面材２０と、第二面材３０とを有し、コーナー基材１０の外面１２と、第一面材２０の外面２２及び第二面材３０の外面３２は、石膏ボード用原紙等からなる外面側紙部材４０により一体に被覆されている。また、第一面材２０の内面２３と第二面材３０の内面３３は、それぞれ石膏ボード用原紙等からなる第一内面側紙部材５０Ａと第二内面側紙部材５０Ｂにより被覆されている。
【００１３】
コーナーパネル１００は、コーナー基材１０を中心として、第一面材２０と第二面材３０が例えば相互に直交する平面視Ｌ字状のパネルである。尚、図示例のコーナーパネル１００では、第一面材２０と第二面材３０が相互に直交する形態であるが、第一面材２０と第二面材３０の相対角度は、コーナーパネル１００が取り付けられる出隅躯体の有する二つの側面の角度に応じた角度が設定される。
【００１４】
コーナーパネル１００の長手方向の長さは、例えば９００ｍｍ乃至３０００ｍｍ程度であるが、任意の長さにすることができる。また、第一面材２０と第二面材３０の板厚は、例えば６ｍｍ乃至３０ｍｍ程度であり、第一面材２０と第二面材３０の幅方向の長さは、２０ｍｍ乃至１００ｍｍ程度である。
【００１５】
コーナー基材１０は、出隅柱２００（図３参照）に対向する内面１１と、内面１１と反対側（室内側）にある外面１２と、内面１１及び外面１２を繋ぐ第一端部１３の第一端面１３ａ及び第二端部１４の第二端面１４ａと、を備える。内面１１には、第一端部１３の境界１５１及び第二端部１４の境界１５２から、コーナー基材１０の内部に向かって窪んだ凹条１６が形成されている。
【００１６】
さらに、コーナー基材１０は、第一端面１３ａの両端部に二つの隅角部を有し、第二端面１４ａの両端部に二つの隅角部を有し、合計四つの隅角部１７を有している。より具体的には、第一端面１３ａの出隅躯体側にある第一隅角部１７１、第一端面１３ａの出隅躯体と反対側（室内側）にある第二隅角部１７２、第二端面１４ａの出隅躯体側にある第三隅角部１７３、及び、第二端面１４ａの出隅躯体と反対側（室内側）にある第四隅角部１７４を有している。そして、四つの隅角部１７（１７１，１７２，１７３，１７４）にはいずれも、Ｒ面取り加工が施されている。尚、面取り加工の種類は、Ｒ面取り加工に限定されるものでなく、糸面取り加工や角面取り加工等、各種の面取り加工であってもよい。
【００１７】
コーナー基材１０の全ての隅角部１７において面取り加工が施されていることにより、コーナー基材１０に対して第一面材２０や第二面材３０が撓んだ場合でも、コーナー基材１０の隅角部が第一面材２０や第二面材３０に強く接触することが抑制される。そのため、第一面材２０や第二面材３０からコーナー基材１０の隅角部に対して強い押圧力が付与され、この押圧力により隅角部が損傷するといった問題が抑制される。
【００１８】
ここで、境界１５（１５１）には、図２に示すように、例えば、第一端面１３ａが第三端面２１から離れる端部Ｐ１と、第一端部１３と凹条１６の取り合い部Ｐ１'との間の範囲（第一端部１３の幅の範囲）が含まれる。また、同様に、境界１５（１５２）には、第二端面１４ａが第四端面３１から離れる端部Ｐ３と、第二端部１４と凹条１６の取り合い部Ｐ２'の間の範囲（第二端部１４の幅の範囲）が含まれる。そして、これらの範囲にある面取り形状の隅角部１７１（１７３）の山の頂部Ｐ２、Ｐ４も含まれる。
【００１９】
図２に示すように、第一面材２０の内面２３や第二面材３０の内面３３を被覆する第一内面側紙部材５０Ａ、第二内面側紙部材５０Ｂと、境界１５（１５１，１５２）に含まれる端部Ｐ１（Ｐ３）や取り合い部Ｐ１'（Ｐ３'）、頂部Ｐ２（Ｐ４）とは面一となっておらず、境界１５（１５１，１５２）がコーナー基材１０の内部側に落ち込んだ位置にある。そのため、以下で詳説するように、コーナーパネル１００が出隅柱２００（図３参照）に取り付けられた状態において、境界１５（１５１，１５２）が出隅柱２００に面接触することが解消され、仮に境界１５（１５１，１５２）が出隅柱２００と接触する場合でも、境界１５（１５１，１５２）に含まれる頂部Ｐ２（Ｐ４）が出隅柱２００に点接触や線接触する程度の接触に抑えられ、少なくとも出隅柱２００に面接触することはない。そのため、既述する特許文献１に記載のコーナーボードのように、コーナーボードの有する補強部材が出隅柱の角部の側面に面接触する場合に生じる課題は、コーナーパネル１００においては生じない。
【００２０】
コーナー基材１０の外面１２は、中央の円弧面１２ａと、円弧面１２ａと第一端面１３及び第二端面１４との間にある二つの平坦面１２ｂ、１２ｃとを有している。
【００２１】
コーナー基材１０を形成する材料としては、防耐火性に優れている観点から、無機系材料が好ましい。無機系材料としては、主成分として、セメント、ケイ酸質粉体、骨材、繊維を含む材料が挙げられる。尚、セメント、ケイ酸質紛体、骨材及び繊維を主成分とするとは、材料の総質量に対するセメント、ケイ酸質紛体、骨材及び繊維の合計質量の割合が例えば９５質量％以上であることを意味する。
【００２２】
一方、第一面材２０は、コーナー基材１０の第一端面１３ａに接続される第三端面２１と、外面側紙部材４０に被覆される外面２２と、第一内面側紙部材５０Ａに被覆される内面２３とを有する。また、第二面材３０は、コーナー基材１０の第二端面１４ａに接続される第四端面３１と、外面側紙部材４０に被覆される外面３２と、第二内面側紙部材５０Ｂに被覆される内面３３とを有する。
【００２３】
第一面材２０と第二面材３０には、石膏系面材が適用される。石膏系面材としては、普通石膏ボード、強化石膏ボード、普通硬質石膏ボード等の石膏ボード、ガラスマット石膏板、ガラス繊維不織布入石膏板、スラグ石膏板等が挙げられる。尚、ここでいう石膏ボードとは、石膏コアの少なくとも広幅の両面を石膏ボード用原紙で被覆した板のことである。
【００２４】
最も一般的な内装仕上げである壁紙仕上げやペンキ仕上げが容易であるという観点から、石膏系面材は図示例のように石膏ボード用原紙にて被覆されていることが好ましい。具体的には、石膏ボード用原紙にて被覆されている、普通石膏ボード、強化石膏ボード、普通硬質石膏ボードが特に好ましい。また、第一面材２０と第二面材３０は、同種の石膏系面材により形成されてもよいし、異種の石膏系面材により形成されてもよい。また、第一面材２０の外面２２や第二面材３０には、石膏ボード以外の面材である、ケイカル板や合板、石膏ボード以外の石膏系面材が適用されてもよい。尚、石膏系面材として石膏ボードを用いた場合、石膏ボードの石膏コアが第一面材２０及び第二面材３０となる。
【００２５】
コーナーパネル１００が外面側紙部材４０を有していることにより、コーナー基材１０の外面１２、第一面材２０の外面２２や第二面材３０の外面３２が他の部材に接触等した際の削れが抑制される。また、コーナーパネル１００の室内側にクロス（壁紙）等が貼られる際に、クロスとの接着性が良好になり、さらには、コーナーパネル１００の取り扱い性も良好になる。
【００２６】
また、第一端面１３ａと第三端面２１の双方の当接面、及び、第二端面１４ａと第四端面３１の双方の当接面は、接着剤により接続されているのが好ましい。この接着剤としては、例えば、有機系接着剤（酢酸ビニル系、アクリル系、イソシアネート系等）、無機系接着剤（無機珪酸塩系等）が挙げられる。
【００２７】
＜出隅の構造＞
次に、図３を参照して、出隅躯体に対してコーナーパネルが取り付けられることにより形成される、出隅の構造について説明する。ここで、図３は、実施形態に係るコーナーパネルが出隅柱に取り付けられることにより形成される、出隅の構造を示す横断面図である。
【００２８】
図示例の出隅柱２００（出隅躯体の一例）は、例えば平面視矩形を呈して室内に張り出し、角部２０３を介して相互に直交する二つの平面２０１、２０２を有する。出隅柱２００には、例えば木製の柱の芯材の他、柱の芯材の表面に石膏系面材等の面材が取り付けられている材等が含まれる。尚、出隅躯体は、図示例の出隅柱２００に限定されるものでなく、その他、梁、ダクトスペース部、袖壁、壁等の開口部等がある。
【００２９】
二つの平面２０１、２０２に対して、第一面材２０の内面２３に取り付けられている第一内面側紙部材５０Ａと第二面材３０の内面３３に取り付けられている第二内面側紙部材５０Ｂがそれぞれ当接するようにして、コーナーパネル１００が配設される。そして、第一面材２０と第二面材３０がそれぞれ、ビス等の固定手段６０により出隅柱２００に固定されることにより、出隅柱２００とコーナーパネル１００とからなる出隅３００が形成される。
【００３０】
出隅柱２００にコーナーパネル１００が取り付けられた状態において、出隅柱２００の角部２０３は、コーナー基材１０の凹条１６に収容される。さらに、コーナー基材１０は、出隅柱２００の角部２０３を含めて、二つの平面２０１，２０２と接触しない。これは、既に説明しているように、コーナー基材１０がその内面１１において、第一端部１３の境界１５１及び第二端部１４の境界１５２から、コーナー基材１０の内部に向かって窪んだ凹条１６を有しているためである。そして、この境界１５（１５１，１５２）に含まれる、端部Ｐ１、Ｐ３や取り合い部Ｐ１'、Ｐ２'、頂部Ｐ２、Ｐ４は、第一面材２０の内面２３や第二面材３０の内面３３を被覆する第一内面側紙部材５０Ａ、第二内面側紙部材５０Ｂよりも、室内側に落ち込んだ位置にあるためである。
【００３１】
尚、図示例は、第一端部１３の厚み（の最大値となる頂部Ｐ２の位置における厚み）が第一面材２０の厚みよりも薄く、第二端部１４の厚み（の最大値となる頂部Ｐ４の位置における厚み）が、第二面材３０の厚みよりも薄い形態であるが、第一端部１３の厚みが第一面材２０の厚みと等しく、第二端部１４の厚みが第二面材３０の厚みと等しい形態であてもよい。また、図示例のように、第一内面側紙部材５０Ａと第二内面側紙部材５０Ｂを有する場合は、第一端部１３の厚みが、第一面材２０の厚みと第一内面側紙部材５０Ａの厚みの和に等しいかこの和よりも薄く、第二端部１４の厚みが、第二面材３０の厚みと第二内面側紙部材５０Ｂの厚みの和に等しいかこの和よりも薄い形態であってもよい。尚、この第一内面側紙部材５０Ａ（第二内面側紙部材５０Ｂ）の厚みには、第一内面側紙部材５０Ａ等が有する当初の厚みの他に、出隅柱２００に押圧されて変化した際の厚みも含まれる。
【００３２】
このように、第一端部１３（第二端部１４）の厚みが、第一面材２０（第二面材３０）の厚みよりも薄い状態、もしくは、第一端部１３（第二端部１４）の厚みが、第一面材２０（第二面材３０）の厚みと第一内面側紙部材５０Ａ（第二内面側紙部材５０Ｂ）の厚みの和よりも薄い状態が、非接触な状態である。
【００３３】
一方、第一端部１３（第二端部１４）の厚みが、第一面材２０（第二面材３０）の厚みと等しい状態、もしくは、第一端部１３（第二端部１４）の厚みが、第一面材２０（第二面材３０）の厚みと第一内面側紙部材５０Ａ（第二内面側紙部材５０Ｂ）の厚みの和と等しい状態が、線接触な状態である。
【００３４】
実施形態に係るコーナーパネル１００を有する出隅３００において、コーナー基材１０と出隅柱２００の関係としては、非接触な状態と線接触な状態のいずれかの状態が適用される。
【００３５】
ここで、図４には、既述する特許文献１に記載のコーナーボード（従来のコーナーパネル）が出隅柱２００に取り付けられて、出隅３００'を形成している状態を模擬している。図４において、コーナーパネル１００'を形成するコーナー基材１０'は、その出隅柱２００側の内側面１１'が出隅柱２００の角部２０３の側面と密接し、面接触している。そのため、仮に出隅柱２００の角部２０３が精度のよい直角を有していない場合は、第一面材２０と第二面材３０が出隅柱２００の側面２０１，２０２に密接できない。このような状態で、第一面材２０と第二面材３０を出隅柱２００の側面にビス等により取り付けると、コーナーパネル１００'がコーナー基材１０'を中心として出隅柱２００側もしくは出隅柱２００と反対側に歪んでしまう。このようにコーナーパネル１００'がコーナー基材１０'を中心として歪んだ場合、コーナーパネル１００'の中でも強度的弱部である、コーナー基材１０'と第一面材２０や第二面材３０との接合部が、歪みに起因する応力に抗しきれずに破損する恐れがある。
【００３６】
図３に示すように、コーナー基材１０が出隅柱２００に対して、面接触ではなくて、非接触な状態（もしくは、線接触な状態、点接触な状態（出隅柱２００に対してその縦方向に一つもしくは複数の点で接触する状態））となるようにしてコーナーパネル１００を出隅柱２００に取り付けることにより、出隅柱２００の角部２０３の角度等の精度に左右されることなく、出隅柱２００への取り付けの際のコーナーパネル１００の破損を解消することができる。
【００３７】
尚、図示例は、第一面材２１の内側に第一内面側紙部材５０Ａが取り付けられ、第二面材３０の内側に第二内面側紙部材５０Ｂが取り付けられている形態であるが、第一内面側紙部材５０Ａや第二内面側紙部材５０Ｂが取り付けられていない形態においては、コーナー基材１０の厚みを、第一面材２１及び第二面材３０の厚みと等しいか相対的に薄くすることにより、図示例と同様にコーナーパネル１００の破損を解消することができる。
【００３８】
＜コーナーパネルの製造方法＞
次に、図５を参照して、実施形態に係るコーナーパネルの製造方法の一例について説明する。ここで、図５は、実施形態に係るコーナーパネルの製造方法の一例を示す製造工程図である。
【００３９】
まず、図５（ａ）に示すように、石膏コア７１と、石膏コア７１の広幅の両面に取り付けられている室内側石膏ボード用原紙（外面側紙部材）４０及び出隅側石膏ボード用原紙５０と、を有する市販の石膏ボードを、所定の寸法に切断することにより、石膏ボード７０が製造される。
【００４０】
次に、図５（ｂ）に示すように、下方に位置する外面側紙部材４０を残しつつ、出隅側石膏ボード用原紙５０と石膏ボード７０を切削し、石膏ボード７０の横断面において矩形状の凹部７２を形成する。この加工により、下方においては共通の外面側紙部材４０にて接続され、上方においては、相互に分離された第一内面側紙部材５０Ａと第二内面側紙部材５０Ｂが取り付けられた、第一面材２０と第二面材３０が製造される。
【００４１】
次に、図５（ｃ）に示すように、上述した矩形状の凹部７２内に、図１乃至図３に示すコーナー基材１０を、その外面１２が下方の外面側紙部材４０を向くようにして載置する。
【００４２】
ここで、コーナー基材１０の外面１２は、既述するように、中央の円弧面１２ａと、円弧面１２ａの左右にある二つの平坦面１２ｂ、１２ｃとを有している。そのため、図５（ｄ）に示すように、例えば平坦面１２ｂを下方にすることにより、コーナー基材１０は、その第一端面１３ａを第一面材２０の第三端面２１に対向させた姿勢を保持することが容易になる。例えば、予め第一端面１３ａと第三端面２１の少なくとも一方に接着剤を塗布しておき、図５（ｄ）に示すように第一端面１３ａと第三端面２１の当接姿勢を所定時間保持することにより、接着剤が硬化してコーナー基材１０と第一面材２０が接着される。
【００４３】
図５（ｄ）に示すように、コーナー基材１０を安定した姿勢で保持しながら、第一面材２０と接続することにより、双方を綺麗に接続することができるため、接続部において外面側紙部材４０に皺を生じさせることなく、双方の接続を行うことができる。
【００４４】
次に、図５（ｅ）に示すように、コーナー基材１０の第二端面１４ａに対して第二面材３０の第四端面３１を接続することにより、実施形態に係るコーナーパネル１００が製造される。
【００４５】
上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００４６】
１０：コーナー基材、１１：内面、１２：外面、１２ａ：円弧面、１２ｂ、１２ｃ：平坦面、１３：第一端部、１３ａ：第一端面、１４：第二端部、１４ａ：第二端面、１５，１５１，１５２：境界、１６：凹条、１７：隅角部、２０：第一面材、２１：第三端面、３０：第二面材、３１：第四端面、４０：外面側紙部材（室内側石膏ボード用原紙）、５０：出隅側石膏ボード用原紙、５０Ａ：第一内面側紙部材、５０Ｂ：第二内面側紙部材、６０：固定手段（ビス）、７０：石膏ボード、７１：石膏コア、７２：凹部、１００：コーナーパネル、２００：出隅柱（出隅躯体）、２０１，２０２：平面、２０３：角部、３００：出隅、Ｐ１'，Ｐ３'：取り合い部、Ｐ２，Ｐ４：頂部
【図１】
2020196993.tif 000003
【図２】
2020196993.tif 000004
【図３】
2020196993.tif 000005
【図４】
2020196993.tif 000006
【図５】
2020196993.tif 000007